(57)【要約】【課題】  従来のＤＶＤレコーダではＤＶＤのレーベル面へ印刷を施すことができず、番組動画データの内容を手書きで書き込むか、別途、ＤＶＤメディア用印刷装置を用いて当該内容を印刷する必要があり、手間がかかっていた。【解決手段】  データ記録部、制御部、記録媒体へのデータ書込み部、及び記録媒体へのレーベル印刷部を備え、データ記録部は、コンテンツデータを保存するコンテンツデータ保存領域と基礎レーベル情報を保存するレーベル情報保存領域とを備え、制御部はコンテンツデータ保存領域からコンテンツデータを読み出してデータ書込み部により記録媒体のデータ記録面へ該コンテンツデータを書き込み、レーベル情報保存領域から読み出した基礎レーベル情報とコンテンツデータ保存領域に保存されるコンテンツデータから所定のルールに従い抽出したレーベル印刷用情報とを合成してレーベル印刷部により記録媒体のレーベル面へ印刷する。【選択図】  図１
2006351052.tif 000002
【特許請求の範囲】
【請求項１】
データ記録部、
制御部、
記録媒体へのデータ書込み部、及び
前記記録媒体へのレーベル印刷部を備える記録媒体へのデータ書込み及びレーベル印刷一体型装置であって、
前記データ記録部は、コンテンツデータを保存するコンテンツデータ保存領域とレーベル印刷のためのレーベルテンプレートを保存するレーベルテンプレート保存領域とを備え、
前記制御部は前記コンテンツデータ保存領域から前記コンテンツデータを読み出して前記データ書込み部により前記記録媒体のデータ記録面へ該コンテンツデータを書き込み、前記レーベルテンプレート保存領域から読み出した前記レーベルテンプレートと前記コンテンツデータ保存領域に保存されるコンテンツデータから前記レーベルテンプレートに対応して抽出したレーベル印刷用情報とを合成して前記レーベル印刷部により前記記録媒体のレーベル面へ印刷する、
ことを特徴とする記録媒体へのデータ書込み及びレーベル印刷一体型装置。
【請求項２】
前記データ記録部のコンテンツデータ保存領域は、番組動画データを録画する第１の領域と、少なくとも該録画された番組動画データに関連する電子番組表の内容を保存する第２の保存領域と、前記録画された番組動画データの録画履歴を保存する第３の保存領域と、を備え、
前記制御部は前記レーベル印刷用情報として、前記録画された番組動画データに関連する電子番組表の内容を前記第２の保存領域から読出し、該番組動画データの録画履歴を前記第３の保存領域から読出し、いずれか一方または両方の情報を前記記録媒体のレーベル面へ印刷する、
ことを特徴とする請求項１に記載の装置。
【請求項３】
前記コンテンツデータ保存領域は、タイトルサムネイル及び／又はチャプターサムネイルを保存する第４の保存領域を備え、
前記制御部は、前記レーベル印刷用情報として、前記録画された番組動画データに関連する前記タイトルサムネイル及び／又はチャプターサムネイルを前記第４の保存領域から読出し前記記録媒体のレーベル面へ印刷する、ことを特徴とする請求項２に記載の装置。
【請求項４】
外部から送信されるレーベルテンプレートを前記レーベルテンプレート保存領域に保存する手段が更に備えられる、
ことを特徴とする請求項１に記載の装置。
【請求項５】
データ記録部、
制御部、
記録媒体へのデータ書込み部、及び
前記記録媒体へのレーベル印刷部を備える記録媒体へのデータ書込み及びレーベル印刷一体型装置であって、
前記データ記録部はコンテンツデータ及びレーベル情報を保存し、
前記データ書込み部は前記データ記録部のコンテンツデータを前記記録媒体のデータ記録面へ書き込み、前記レーベル印刷部は前記データ記録部のレーベル情報を前記記録媒体のレーベル面へ印刷する、
ことを特徴とする記録媒体へのデータ書込み及びレーベル印刷一体型装置。
【発明の詳細な説明】
【技術分野】
【０００１】
この発明は記録媒体へのデータ書込み及びレーベル印刷一体型装置に関する。
【背景技術】
【０００２】
記録媒体へデータを書き込む装置の一例としてＤＶＤレコーダがある。このＤＶＤレコーダは、データ記録部として大容量のハードディスクを有し、テレビ電波等を媒体として配信されてくる番組動画データを当該ハードディスクへ保存する。
当該ハードディスクに保存された番組動画データはＤＶＤディスク等の記録媒体へ再生可能に書き込むことができる。
番組動画データを録画したときには、その録画履歴情報（録画開始／終了時間、録画形式など）が所定の保存領域に保存される。
また、昨今では、ＥＰＧ（Electronic Program Guide）とよばれる電子番組表が提供されている。このＥＰＧでは、番組表の内容（チャンネル、番組名、配信時間等）が電子データとして地上波若しくはインターネットを介してＤＶＤレコーダへ提供される。
【発明の開示】
【発明が解決しようとする課題】
【０００３】
ＤＶＤレコーダのハードディスクに保存される番組動画データを記録媒体としてのＤＶＤへコピーしたとき、後日の検索のため、コピーされた番組動画データの内容（番組名、録画開始日時等）を当該ＤＶＤのレーベル面へ記載しておく必要がある。
従来のＤＶＤレコーダではＤＶＤのレーベル面へ印刷を施すことができなかったので、番組動画データの内容を手書きで書き込むか、別途、ＤＶＤメディア用印刷装置を用いて当該内容を印刷する必要があり、手間がかかっていた。
【０００４】
そこで本発明者は、ＤＶＤレコーダにレーベル印刷機能を持たせれば、ハードディスに保存されている番組動画データの内容を記録媒体へコピーした後の当該記録媒体の整理作業の手間が軽減されると考えて、本発明を完成するにいたった。
即ち、データ記録部、
制御部、
記録媒体へのデータ書込み部、及び
前記記録媒体へのレーベル印刷部を備える記録媒体へのデータ書込み及びレーベル印刷一体型装置であって、
前記データ記録部は、コンテンツデータを保存するコンテンツデータ保存領域とレーベル印刷のためのレーベルテンプレートを保存するレーベルテンプレート保存領域とを備え、
前記制御部は前記コンテンツデータ保存領域から前記コンテンツデータを読み出して前記データ書込み部により前記記録媒体のデータ記録面へ該コンテンツデータを書き込み、前記レーベルテンプレート保存領域から読み出した前記レーベルテンプレートと前記コンテンツデータ保存領域に保存されるコンテンツデータから前記レーベルテンプレートに対応して抽出したレーベル印刷用情報とを合成して前記レーベル印刷部により前記記録媒体のレーベル面へ印刷する、
ことを特徴とする記録媒体へのデータ書込み及びレーベル印刷一体型装置。
【０００５】
このように構成された装置によれば、データ記録部に記録された情報、即ちレーベルテンプレートとコンテンツデータから抽出されたレーベル印刷用情報とを読み出してこれらに基づき記録媒体のレーベル面に印刷を施す。即ち、ハードディスク等のデータ記録部に保存されている番組動画データをＤＶＤ等の記録媒体へコピーするとき、記録媒体のレーベル面に当該番組動画データに関連する情報及び／又は当該番組動画データを特定するのに必要な情報が印刷されることとなる。これにより、記録媒体の整理のために番組動画データの内容（番組名、記録開始日時等）を記録媒体のレーベル面へ別途記入する手間を省略することができる。
【発明を実施するための最良の形態】
【０００６】
以下、本発明を構成する要素について詳細に説明する。
（データ記録部）
データ記録部はコンテンツデータ保存領域とレーベルテンプレート保存領域とを備える。
コンテンツデータ保存領域は、テレビ電波や有線（ケーブル、インターネット等）を介して配信される動画データや家庭で撮った動画データ等を保存する領域である。コンテンツデータには上記データそのもの（１次コンテンツデータ）と当該１次コンテンツデータから生成されるデータ（２次コンテンツデータ）がある。１次コンテンツデータには番組動画データとＡＤＡＭＳ−ＥＰＧなどの電子番組表や家庭で撮ったビデオデータ等がある。１次コンテンツデータはコンテンツデータ保存領域の第１の領域に保存される。
ここに、番組動画データとは、ユーザの観賞対象となるものであって、音声データ、文字データ等が含まれることがある。なお、以下では、テレビ電波や有線を介して配信される番組動画データと電子番組表を例に説明を行う。
【０００７】
２次コンテンツデータには、録画された番組動画データに関連する電子番組表の内容、番組動画データを録画したときの履歴（録画開始／終了時間、録画形式など）、録画された番組動画データから生成されるタイトルサムネイル及び／又はチャプターサムネイルなどがある。
録画された番組動画データに関連する電子番組表の内容は、１次コンテンツデータとして保存された電子番組表の全内容から少なくとも録画済番組動画データに関連する内容（番組名、配信時刻、番組の説明テキストなど）が抽出される。この内容はコンテンツデータ保存領域における第２の保存領域に保存される。
録画済番組動画データの録画履歴において録画開始／終了時間は、制御部に備えられた時計を参照して実際に録画が行われた時間が記録される。録画方式はユーザの選択した録画方式（画質等）が記録される。これらの内容はコンテンツデータ保存領域における第３の保存領域に保存される。
タイトルサムネイルは番組動画データの内容を象徴する画像データであって、例えば録画開始直後の番組動画データの１コマが採用される。チャプターサムネイルは番組動画データをチャプター分割したときの各チャプターの内容を象徴する画像データであって、例えば各チャプター開始直後の番組動画データの１コマが採用される。これらタイトルサムネイル及びチャプターサムネイルはコンテンツデータ保存領域における第４の保存領域に保存される。
【０００８】
レーベルテンプレート保存領域にはレーベルテンプレートが保存される。このレーベルテンプレートにはレーベル印刷を行う際のレイアウト情報が含まれる。このレイアウト情報はレーベル印刷情報（電子番組表の内容、録画履歴、サムネイルなど）の配置を定めるものである。また、レーベルテンプレートにはレーベル印刷時の背景情報を含ませることができる。この背景情報として記録媒体へ記録を行ったユーザ名や写真その他の画像情報を採用することができる。
レーベルテンプレート保存領域にはデフォルトとして複数種類のレーベルテンプレートを保存しておくことができる。また、ユーザは入力装置を用いてこのレーベルテンプレートを修正・変更することができる。更には、外部から提供されるレーベルテンプレートを追加することもできる。当該外部レーベルテンプレートはインターネットを介して配信することができる。また、ＥＰＧとともにテレビ電波を介して配信することもできる。
【０００９】
制御部は汎用的なＣＰＵと、当該ＣＰＵを動作させるコンピュータプログラムから構成される。コンピュータプログラムはハードディス等の記録装置（データ記録部と共用可能）に保存される。このＣＰＵにはバスライン及び各種インターフェースを介してデータ記録部、データ書込み部及びレーベル印刷部が接続される。
【００１０】
データ書込み部は、記録媒体の方式に応じて所定の書込み方式が採用される。例えば、ＤＶＤレコーダの場合ＤＶＤ−ＲＷ，ＤＶＤ−ＲＡＭ等の書込み方式に対応したレーザ書込み装置とそのドライバを準備することができる。
レーベル印刷部の印刷方式も任意の方式を採用することができる。記録媒体に対する低衝撃力、印刷速度等の観点からインクジェット方式を採用することができる。
【実施例】
【００１１】
以下、この発明の実施例について説明する。
図１に実施例のＤＶＤレコーダの構成ブロック図を示す。
このＤＶＤレコーダ１は、制御部２、データ書込み部７、レーベル印刷部９及びデータ記録部３０を備えて概略構成される。
制御部２はＣＰＵ３を備える。後述する各要素はバスラインを介してこのＣＰＵ３に接続されその制御を受ける。ＣＰＵ３を動作させるためのコンピュータプログラムはハードディスクからなるデータ記録部３０のプログラム保存領域３１に保存されており、ＣＰＵ３は当該プログラムを読み出して所定の動作を行うこととなる。当該プログラムはＲＡＭ３１に保存することもできる。ＲＯＭ２３にはＤＶＤレコーダの登録番号など、消去すべきでない情報が保存されている。ＣＰＵ３はクロック５を参照して録画時間等を特定する。
【００１２】
データ書込み部７にはＤＶＤ−ＲＷの方式を採用する。データ書込み部におけるデータ書き込み方式は任意に選択可能である。
レーベル印刷部９にはカラー印刷可能なインクジェット装置を採用する。
これらデータ書込み装置７及びレーベル印刷部９はＤＶＤディスクを挟むように配置される。
【００１３】
制御部２には受信部１１が接続されている。この受信部１１はアンテナ若しくはケーブルテレビ用端末に接続されて番組動画データを受信する。電子番組表がテレビ電波を使って配信される場合（ＡＤＡＭＳ−ＥＰＧ等）には、この受信部１１において電子番組表の内容が受信される。
同じく制御部２に接続されるインターネットインターフェース１３は、インターネットに接続される。インターネットを介して配信される番組動画データや電子番組表は当該インターネットインターフェース１３を介して受信される。
【００１４】
出力部１５はテレビジョン装置、プロジェクタ、または他の記録装置に接続されて、実施例のＤＶＤレコーダ１から出力される番組動画データを所定の方式（アナログ若しくはデジタル）で出力する。
入力部１７はＤＶＤレコーダ１を操作するためのコマンドを入力するものであり、ＤＶＤレコーダ１の本体部及びリモートコントロール装置によりコマンドが入力される。
表示部１９はＤＶＤレコーダの動作状態を表示するためのものであり、汎用的な液晶表示装置を用いることができる。
【００１５】
データ記録部３０は、プログラム保存領域３１、コンテンツデータ保存領域３３、レーベルテンプレート保存領域３５を備える。
プログラム保存領域３１は、既述の通り、ＣＰＵ３を制御するために必要なプログラムが保存される。
コンテンツデータ保存領域３３は、１次コンテンツデータを保存する領域３３１、２次コンテンツデータを保存する領域３３３を有する。第１の領域としての１次コンテンツデータ保存領域３３１は番組動画データ保存領域３３１１と電子番組表（ＥＰＧ）を保存する領域３３１３を有する。番組動画データ保存領域３３１１には配信された番組を構成する画像データ、音声データ及び文字データ等が所定の方式で保存される。電子番組表保存領域３３１３には、テレビ電波で搬送された電子番組表の内容が保存される。ＤＶＤレコーダはこの電子番組表を使用して所望の番組の録画を可能としている。
【００１６】
２次コンテンツデータを保存する領域３３３は、第２〜第４の領域３３３１、３３３３、３３３５を有する。第２の領域３３３１には録画された番組動画データに関連する電子番組表の内容（番組名、配信時刻、番組の説明テキストなど）が保存される。第３の領域３３３３には録画された番組動画データの録画履歴（録画開始／終了時間、録画形式など）が保存される。第４の領域３３３５には録画された番組動画データのタイトルサムネイル及び／又はチャプターサムネイルが保存される。
【００１７】
レーベルテンプレート保存領域３５のレイアウト情報保存領域３５１には、所定のレイアウト情報が保存されている。なお、レーベル印刷を行う際には、このレイアウト情報により特定された座標に、第２〜第４の領域から読み出された情報がそれぞれ印刷される。
レーベルテンプレート保存領域３５に保存されるレーベルテンプレートは、ＤＶＤ作成者の氏名、ＤＶＤ作成日付、ＤＶＤの通し番号などの情報を自動的に作成する機能を有することができる。また、レーベルテンプレートには画像などを背景の模様として組み込むことができる。
【００１８】
次に、実施例のＤＶＤレコーダ１の動作について説明をする。
図２は配信された番組動画データを録画するときの動作を示すフローチャートである。なお、電子番組表は所定の時間にテレビ電波を使って配信されており、このＤＶＤレコーダ１は最新の電子番組表の内容を１次コンテンツデータ保存領域３３１の電子番組表保存領域３３１３に保存している。
入力部１７から入力されたコマンドに従い、受信部１１を介して受信される番組動画データを番組動画データ保存領域３３１１に保存する（ステップ１）。制御部２は、電子番組表保存領域３３１３に保存されている電子番組表から録画された番組動画データに関係する内容（番組名、配信時刻、番組の説明テキストなど）を抽出して、テキストデータとして第２の領域３３３１へ保存する（ステップ２）。
次にステップ３において、制御部２は、そのクロック５の表示する時間を参照して録画した番組動画データの録画履歴（録画開始／終了時間）及び録画画質の内容をテキストデータとして第３の領域に保存する。
第４のステップでは、番組動画データにおいて録画開始直後の１コマの画像データを抽出し、これをタイトルサムネイルとして第４の領域へ保存する。なお、番組動画データが複数のチャプターに分割された場合には、チャプター毎にチャプター開始直後の１コマの画像データを抽出し、これをチャプターサムネイルとして第4の領域へ保存する（ステップ５、６）。
【００１９】
図３は、データ記録部３０の記録内容を用いてＤＶＤディスクへ番組動画データを書き込み、かつそのレーベル面にレーベル印刷を行う動作を示す。
ステップ１０においては、番組動画データ保存領域３３１１に保存されている番組動画データを読み出して汎用的な方式によりイメージファイルを形成し、当該イメージファイルの内容をＤＶＤディスクの記録面へ書き込む。
次にステップ１１においてユーザによってレーベル印刷が求められているか否かを判断し、レーベル印刷モードが選択されているときはステップ１２へ進む。レーベル印刷モードが選択されていない場合には、図３の処理を終了する。
【００２０】
ステップ１２においては、レーベルテンプレート保存領域３５のレイアウト情報保存領域３５１からレイアウト情報を読み出す。例えば、図４に示すレイアウトの例では、ＤＶＤディスクのレーベル面４０において、第１のテキストボックス４１に番組名（タイトル名）を表示するテキストが記入され、第１のイメージボックスス４２にタイトルサムネイルが記入される。第２のテキストボックス４３には電子番組表の内容、第３のテキストボックス４４には録画履歴がそれぞれ記入される。また、番組動画データがチャプターに分割された場合には、図５に示すように、チャプター名を記入する第４のテキストボックス４５とそのチャプターサムネイルを記入する第２のイメージボックス４６が形成されることとなる。
【００２１】
ステップ１２では、レーベル印刷用情報として第２の領域３３３１に保存されている電子番組表の内容、第３の領域３３３３に保存されている録画履歴及び第４の領域３３３５に保存されているサムネイル画像を読み出す。読み出したレーベル印刷用情報を、レイアウト情報で指定されたテキストボックス若しくはイメージボックスに当てはめ、レーベル面に印刷すべき画像データを合成する（ステップ１４）。このようにして合成された画像データに基づき、ＤＶＤディスクのレーベル面４０に対する印刷を実行する（ステップ１５）。
上記の例では、１つの番組動画データをＤＶＤディスクへコピーする例を説明したが、複数の番組動画データをコピーする場合には、各テキストボックス及びイメージボックスが番組動画データの数に応じて増加されることとなる。なお、番組動画データの数若しくはチャプターの数が所定数を越えた場合には、そのサムネイルを省略することができる。
【００２２】
以上説明したように、この発明のＤＶＤレコーダでは、そのハードディスク（データ記録部３０）に保存された番組動画データをＤＶＤディスクの記録面へ書き込むことはもとより、ＤＶＤディスクにコピーされた内容を後日検索するのに必要な情報をハードディスクの保存内容から抽出して、これをＤＶＤディスクのレーベル面へ自動的に印刷する。
【００２３】
図６は、レーベルテンプレートが外部のサーバ５０から与えられる例を示す。なお、図６において図1と同一の要素には同一の符号を付してその説明を省略する。
番組動画データの製作者はその番組動画データ用のレーベルテンプレートを外部のサーバ５０に保存しておく。この外部レーベルテンプレートには、タイトル名、タイトルサムネイル、配信時間等が含まれている。
この実施例では、番組動画データの録画とともにインターネット６０を介してサーバ５０から上記外部レーベルテンプレートを読出し、レーベルテンプレート保存領域３５に保存する。そして、レーベル印刷を実行する図３に示すステップ１２において、外部レーベルテンプレートからレーベルレイアウト情報を読出し、これを使用する。この外部レーベルテンプレートにおいては、タイトル名、タイトルサムネイルが予め与えられており、配信時間及び録画履歴情報は前の実施例と同様にして記入されるようにすることが好ましい。
【００２４】
なお、サーバ５０に保存されているレーベルテンプレート（レーベル情報）のみを用いてレーベル印刷を行うことも可能である。即ち、番組動画データを録画した後にサーバ５０へアクセスし、当該サーバからレーベルテンプレート（レーベル情報）をダウンロードし、当該レーベルテンプレートに基づきＤＶＤディスクのレーベル面へレーベル印刷を行う。
なお、違法なコピーを防止する見地から、サーバからダウンロードされるレーベルテンプレートには使用回数制限を設けることが好ましい。
【００２５】
ＤＶＤディスクが書換え可能な方式であった場合、番組動画データの書込み対象となるＤＶＤディスクのデータ記録面にデータが存在していた場合、データ書込み部がデータ記録面を初期化するとともに、レーベル印刷部もＤＶＤディスクのレーベル面を初期化する。当該初期化の方法は特に限定されるものではないが、レーベル面のバックグランド色（例えば白色）をレーベル面へ塗布することにより行うことができる。
【００２６】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【図面の簡単な説明】
【００２７】
【図１】図１はこの発明の実施例の装置の構成を示すブロック図である。
【図２】図２は配信された番組動画データを録画するときの動作を示すフローチャートである。
【図３】図３はデータ記録部３０の記録内容を用いてＤＶＤディスクへ番組動画データを書き込み、かつそのレーベル面へレーベル印刷を行う動作を示すフローチャートである。
【図４】図４はＤＶＤディスクのレーベル面におけるレイアウト情報の一例を示す。
【図５】図５はＤＶＤディスクのレーベル面におけるレイアウト情報の一例を示す。
【図６】図６はこの発明の他の実施例の装置の構成を示すブロック図である。
【符号の説明】
【００２８】
１  記録媒体へのデータ書込み及びレーベル印刷一体型装置、２  制御部、７  データ書込み部、９  レーベル印刷部、３０  データ記録部、３３  コンテンツデータ保存領域、３５  レーベル情報保存領域、３３１  第１の領域、３３３１  第２の領域、３３３３  第３の領域、３３３５  第４の領域、３３５  外部レーベル情報保存領域
【図１】
2006351052.tif 000003
【図２】
2006351052.tif 000004
【図３】
2006351052.tif 000005
【図４】
2006351052.tif 000006
【図５】
2006351052.tif 000007
【図６】
2006351052.tif 000008